(57)【特許請求の範囲】
【請求項１】
一側に偏った位置に発光部が形成される閃光器本体と、
前記閃光器本体に形成される収納室と、
前記収納室内に収納される反射ミラーまたは拡散板からなるパネル板と、
前記パネル板を横スライドして案内し前記発光部の中央前方に位置させるスライド機構と
を備えてなることを特徴とする閃光装置。
【請求項２】
請求項１記載の閃光装置において、
前記スライド機構は、前記パネル板を、パネル板の一側が前記閃光器本体の一側から突出するように案内することを特徴とする閃光装置。
【請求項３】
請求項１または２記載の閃光装置において、
前記スライド機構は、前記収納室に沿って形成される案内溝と、前記パネル板に形成され前記案内溝に嵌挿される突起とからなることを特徴とする閃光装置。
【発明の詳細な説明】
【０００１】
【産業上の利用分野】
本発明は、写真撮影において光源として使用される閃光装置に関する。
【０００２】
【従来の技術】
一般に、写真撮影において、閃光装置の光を天井などで反射させ被写体を間接照明（バウンス照明）する撮影方法では、閃光装置で正面から直射照明するのとは異なり、被写体が上方から照明されるため、自然な影ができ、結果的にソフトな写真を得ることができる。
【０００３】
図２９は、このようなバウンス照明を可能とした従来の閃光装置を示すもので、この閃光装置では、カメラに固定される支持ケース１に、台座２が、回転軸Ａを中心にして水平方向に回動自在に保持されている。
【０００４】
台座２には、発光部ケース３が保持され、発光部ケース３は回転軸Ｂを中心に垂直方向に回動可能とされている。
そして、発光部ケース３には、発光窓４が配置されている。
このような閃光装置では、発光窓４が水平方向に回動自在になるため、カメラを縦位置にして撮影する際にも、天井を使ってのバウンス撮影が可能になる。
【０００５】
しかしながら、上述した閃光装置では、支持ケース１、台座２、発光部ケース３を別々に作り、それぞれを回動機構を介して組み立てなければならないため、部品点数が増大し、高価になるという問題がある。
さらに、回動部に電気配線が通ることによる配線切れ、回動部の隙間から埃や雨滴が侵入することに起因する故障等が発生する虞があるという問題がある。
【０００６】
また、上述した閃光装置では、バウンス撮影をする際に、閃光装置の全光束が間接的な照明になるため、光量不足になったり、あるいは人物撮影などでは、被写体の人物の目から光点（アイキャッチ）がなくなり、生き生きした表情が得られないという欠点があった。
従来、このような欠点を補うため、実開昭５４−６２０号公報には、２つの発光部を有する閃光装置を使用して、一方をバウンス照明にし、他方で被写体を直接照明する方法が開示されている。
【０００７】
しかしながら、この公報に開示される方法では、発光部が２つ必要になるため、製造コストが増大するという問題がある。
また、直接照明する発光部の面積が小さいため、閃光撮影特有の見苦しいシャープな影ができ、閃光装置を使用した独特な不自然な照明になるという問題がある。
【０００８】
一方、一つの発光部でバウンス照明およびアイキャッチの効果を得る方法として、実開平１−１２５４２９号公報には、上方に回動自在な発光部の近傍に、反射板を内蔵する収納室を設け、発光部を上方に向けたバウンス撮影時に、収納室を発光部から移動させ、その内部に収納されていた反射板を引き出すことによりアイキャッチ効果を得る方法が開示されている。
【０００９】
しかしながら、この方法では、折り畳んで収納されている反射板を、収納室自体をスライドさせて引き出し、かつ広げて固定する必要があるため、反射板に剛性の高い剛性材あるいは中空材を使用する必要があるという問題があった。
すなわち、剛性材を使用する場合には、端面処理をきちんと行わないと使用者が手を切る等の安全性の問題が生じ、一方、中空材を使用する場合には、その都度使用者が空気を入れて膨らます等が必要になりセッティングに煩雑さが伴うという問題があった。
【００１０】
また、実開平２−５１３３３号公報には、撮影レンズの光軸に対して垂直方向に向いた発光部を有するカメラにおいて、発光部からの光を照射する場合に、発光部を覆っていた反射板を起こすことにより、撮影レンズの光軸方向に光を照射する方法が提案されているが、この方法では、バウンス照明としての効果をあまり期待することができない。
【００１１】
そこで、本発明者等は、後述する図１に示すような閃光装置を開発した。
この閃光装置では、閃光器本体１３の発光窓１０を常に被写体に正対させ、発光部を回動させることなしに、発光部からの光を、発光窓１０の外で、閃光器本体１３に内蔵された反射ミラー１１を使って、発光窓１０から照射される光の向きを変えることによりバウンス照明が可能とされている。
【００１２】
また、この閃光装置では、発光部の外に、半透過の拡散板１２を配置することにより、発光窓１０より大きな面積を有する２次光源により被写体を直接的に照明し、従来の直接照明で問題となるシャープな影ができないようにされている。
【００１３】
【発明が解決しようとする課題】
しかしながら、上述した閃光装置では、図３０に示すように、発光窓１０の前面に配置した反射ミラー１１の端面からでてきた光線２０１が、撮影レンズ３０の画角を便宜的に示した線２０２の内側に入っていた場合には、図３１に示すようにフィルム面の上方に発光窓１０からの直接光が照明されムラ（明るいふちどり３３）のある写真ができることになる。
【００１４】
また、図３２に示すように、撮影レンズ３０の画角を便宜的に示した線２０５，２０６の内側に、発光窓１０から照射される範囲を示した線２０３，２０４がある場合には、図３１に示した左右の照明ムラ（明るいふちどり３３）が発生する。
この現象は、発光窓１０に対して反射ミラー１１が小さい場合には顕著に発生し、大きくなるにつれて発生度合いは減少する。
【００１５】
しかしながら、後述する図１４に示すように、閃光装置の発光窓１０を閃光器本体１３の一側に偏った位置にオフセットして形成し、かつ、閃光器本体１３に収納室２０を形成し、この収納室２０内に反射ミラー１１を収容しようとする場合には、発光窓１０が一側に偏った位置にオフセットしているため、反射ミラー１１により発光窓１０の前方を充分に覆うことが困難になるという問題が発生する。
【００１６】
本発明は、かかる従来の問題を解決するためになされたもので、発光窓が閃光器本体の一側に偏った位置にオフセットして形成されている場合にも、収納室内に収納されるパネル板により、発光窓の前方を充分に覆うことができる閃光装置を提供することを目的とする。
【００１７】
【課題を解決するための手段】
請求項１の閃光装置は、一側に偏った位置に発光部が形成される閃光器本体と、前記閃光器本体に形成される収納室と、前記収納室内に収納される反射ミラーまたは拡散板からなるパネル板と、前記パネル板を横スライドして案内し前記発光部の中央前方に位置させるスライド機構とを備えてなることを特徴とする。
【００１８】
請求項２の閃光装置は、請求項１において、前記スライド機構は、前記パネル板を、パネル板の一側が前記閃光器本体の一側から突出するように案内することを特徴とする。
請求項３の閃光装置は、請求項１または２において、前記スライド機構は、前記収納室に沿って形成される案内溝と、前記パネル板に形成され前記案内溝に嵌挿される突起とからなることを特徴とする。
【００２０】
【作用】
請求項１の閃光装置では、閃光器本体に形成される収納室から反射ミラーまたは拡散板からなるパネル板を引き出す時に、パネル板が、スライド機構により横スライドして案内され、発光部の中央前方に位置される。
【００２１】
請求項２の閃光装置では、スライド機構により、パネル板の一側が閃光器本体の一側から突出するようにして案内される。
請求項３の閃光装置では、収納室に沿って形成される案内溝に、パネル板に形成されされる突起が嵌挿され、突起が案内溝に沿って案内される。
【００２２】
【実施例】
以下、本発明を図面を用いて詳細に説明する。
図１は、本発明の閃光装置の一実施例を示す斜視図である。
この図は、反射ミラー１１と拡散板１２を使用した一部直接照明を加えたバウンス照明時の反射ミラー１１と拡散板１２のセッティング状態を示している。
【００２３】
閃光器本体１３の発光窓１０の前面に、反射ミラー１１と拡散板１２が固定されている。
閃光器本体１３の横には、調光センサー１４が配置されている。
閃光器本体１３は、脚部１５の上部に回動自在に連結されている。
脚部１５の下部には、シューケース１６が連結されており、シューケース１６は、シュー締め付けナット１７により、撮影レンズ３０が装着されるカメラ３１に固定されている。
【００２４】
図２は、図１の照明セッティングでの撮影状態を示している。
閃光器本体１３の内部には、図示しない発光管が配置されており、光は透明な発光窓１０を通して外部に放射される。
放射された光束の多くは、反射ミラー１１で上方の天井２３に向けて反射される。
【００２５】
反射された光は、さらに天井２３で反射され、被写体１９を間接的に照明する。
そして、同時に、半透明な拡散板１２を通って拡散された光もまた被写体１９を照明する。
この時、半透明な拡散板１２を通って拡散された光の一部は、被写体１９である人物の目１９ａを照明し光点（アイッキャッチ）を作る。
【００２６】
図３は、閃光器本体１３の下面に形成される収納室２０から反射ミラー１１と拡散板１２を折り畳んだ状態で引き出し、発光窓１０の前面に所定の角度でセットした状態を示している。
詳細は後述するが、この状態では、発光窓１０の光束は、撮影画角を直接照明することはない。
【００２７】
ほとんどの光束は、反射ミラー１１で反射され上方に向かうバウンス光となる。
図４は、図３の状態に折り畳まれた拡散板１２を開く操作を示す図である。
図３の状態では、反射ミラー１１と拡散板１２は、ヒンジ１８ａを中心に折り畳まれており、ヒンジ１８ａを中心にして拡散板１２を回動することにより、図５の状態に開かれる。
【００２８】
図５の状態は、反射ミラー１１と拡散板１２の両方を発光窓１０の前方に所定の傾斜角度でセットした状態である。
発光窓１０から発射されたほとんどの光束は、反射ミラー１１で反射され上方に向かう。
そして、通常撮影時には、撮影画面内には照射されない一部の周辺光束は、拡散板１２で捉えられ拡散されて、拡散板１２が２次光源となり被写体を直接照明する。
【００２９】
図６は、上述した反射ミラー１１と拡散板１２を開いた状態を示している。
この実施例では、拡散板１２は、拡散部１２Ａ，反射ミラー張り付け部１２Ｂおよび取付部１２Ｃを有している。
拡散部１２Ａ，反射ミラー張り付け部１２Ｂおよび取付部１２Ｃは、ポリプロピレン，ナイロンあるいはポリエチレン等の折り曲げを繰り返しても容易に破壊しない性質を持ったプラスチックで一体成形されている。
【００３０】
拡散板１２は、光がそれを透過する際に、光を拡散させる性質を有している。
そして、拡散板１２は、拡散板１２が光を拡散させながら透過させる際に、青の波長成分が赤の波長成分に比較して減衰され、カラーバランスが崩れるのを防止するために、プラスチック材料に青の色素を小量混合させて、結果的に青味がかった乳白色のプラスチック材料で作られている。
【００３１】
これにより、撮影された写真は自然な色調となる。
拡散板１２の拡散部１２Ａの両側には、指掛け１２ａ，押さえ逃げ１２ｌが形成され、中央には、固定爪１２ｄが形成されている。
なお、指掛け１２ａは、反射ミラー１１と拡散板１２を収納室２０から引き出す際の操作つまみである。
【００３２】
拡散板１２の反射ミラー張り付け部１２Ｂの一面には、凹部１２ｍ（図７に示す）が形成され、この凹部１２ｍに反射ミラー１１が固定されている。
他面には、凹部１２ｎ（図７に示す）が形成され、この凹部１２ｎに板バネ２１が配置されている。
凹部１２ｎの両側には、押さえ１２ｊが一体形成されている。
【００３３】
拡散部１２の取付部１２Ｃには、ストッパー１２ｅ，拡散板保持部１２ｆ，当て面１２ｇ，バネ掛け穴１２ｈ，突起１２ｉが一体形成されている。
なお、２つのストッパー１２ｅおよび２つの突起１２ｉは、後述するように、反射ミラー１１と拡散板１２を収納室２０から引き出す際、閃光器本体１３と収納室２０の相手部品に当たり、それ以上引き出されないようにするための制限部材である。
【００３４】
拡散板１２の拡散部１２Ａと反射ミラー張り付け部１２Ｂとは、一体形成されるヒンジ１８ａを介して連結されている。
取付部１２Ｃには、ヒンジ１８ｂ，１８ｃが一体形成されている。
ヒンジ１８ａ，１８ｂ，１８ｃは薄いフィルムを形成し、折り曲げ自在になっている。
【００３５】
反射ミラー１１は、凹部１２ｍに両面テープあるいは接着剤等により固定されている。
反射ミラー１１は、厚さ約０．０１〜０．２ミリメートルの薄いアルミニウム板，同じく薄いステンレス板、あるいはニッケルメッキ，クロムメッキ等を施した金属板で作られる。
【００３６】
なお、反射ミラー１１は、拡散板１２の反射ミラー張り付け部１２Ｂに、アルミニウム等の金属を直接真空蒸着して形成しても良い。
また、反射ミラー１１は、２０〜１００ミクロンメートルのテトロンフィルム表面に同様な真空蒸着を施した通常貼りシール銘版などに使用される既製品でもよい。
【００３７】
図７は、図６の拡散板１２を収納室２０に収納する状態に折り曲げた状態を示しており、図６のＣ−Ｃ線に沿った断面である。
この状態では、拡散板１２のヒンジ１８ａおよび１８ｃが、１８０゜折曲されている。
また、取付部１２Ｃの２つのストッパー１２ｅには、それぞれコイルバネ２２により常にヒンジ１８ｃを中心に開く方向の力が作用している。
【００３８】
なお、ヒンジ１８ｂは、後述するように、拡散板１２を閃光器本体１３にセットする際に折曲される。
図８は、反射ミラー張り付け部１２Ｂに形成される凹部１２ｎへの板バネ２１の装着方法を示すもので、図６のＥ−Ｅ線に沿った断面図である。
板バネ２１は、自然状態ではそのバネ力により図の上方に示すように折曲されており、バネ力に抗して拡散板１２の２つの押さえ１２ｊに挿入されている。
【００３９】
具体的には、左側の押さえ１２ｊに板バネ２１の一端を挿入し、次に板バネ２１を右方向にいっぱいまでスライドさせると、板バネ２１の突起２１ａが、拡散板１２の同形状の凹部１２ｏ（図６に示す）に落ち込んで、板バネ２１が固定される。
この結果、図８に破線で示すように、拡散板１２は板バネ２１の自然状態の反り方向に変形を受ける。
【００４０】
従って、図６に示したように反射ミラー１１と拡散板１２とが真っ直ぐ一直線になった状態では、反射ミラー１１と拡散板１２は、板バネ２１の曲がり方向に反ることになり、反射ミラー１１と拡散板１２とが一直線になった形状を維持することができる。
この状態では、図２に示した撮影が可能になる。
【００４１】
また、板バネ２１の反り力は、図３に示したようなセッティング状態でも、反射ミラー１１と拡散板１２とを重なった形状に保持する作用をも有する。
なお、図８では、反射ミラー１１は、凸状に反った形状であるが、この形状の場合には、反射ミラー１１で反射した反射光は、光線が広い角度に発散するため、バウンス光で広い範囲を照明することができる。
【００４２】
一方、反射ミラー１１側に、反対方向に反った板バネを同様に固定することも可能であるが、この場合には、反射ミラーは逆方向に凹状に反ることになる。
この形状の場合には、反射ミラー１１で反射した反射光は、光線が狭い角度に放射されるため、近くの主要被写体に天井などで反射した照明が強く当たり、バウンス照明の光量損失を少なくできる。
【００４３】
また、この実施例では、反射ミラー１１と板バネ２１とを別部材により構成したが、反射ミラーをバネ性を有する鏡面仕上げを施したステンレス板あるいはニッケルメッキやクロムメッキを施した薄い金属板などで構成し、板バネ２１と同様に自然状態で反らした反射ミラーを、実施例の板バネ２１と同様に固定することにより、板バネを不要にすることができる。
【００４４】
図９は、拡散板１２の拡散部１２Ａに形成される固定爪１２ｄの働きを示しており、図６のＤ−Ｄ線に沿う断面図である。
拡散板１２は、図７の状態から、ヒンジ１８ａを中心にして、拡散部１２Ａを１８０゜回転させてＦの位置に位置させると図６に示した形状になる。
そして、更に回転させた状態がＧであり、図７の位置から２７０゜まで回転させた状態がＨである。
【００４５】
Ｇの位置では、拡散板１２は固定爪１２ｄに当たり、固定爪１２ｄは点線で示すように押し上げられ、さらに拡散板１２が回動すると、固定爪１２ｄを乗り越えてＨの位置に拡散板１２が固定される。
【００４６】
この状態は、後述する近接撮影時のセッティングとなる。
なお、Ｈの位置から拡散板１２を元に戻すには、逆方向（Ｇの方向）に固定爪１２ｄの保持力に逆らって回動させればよい。
また、この実施例では、拡散板１２を固定爪１２ｄに固定する位置を２７０゜の位置としたが、後述する近接撮影照明の都合に合わせて角度を設定することができる。
【００４７】
図１０は、反射ミラー１１と拡散板１２とを収納室２０に収納した状態を示している。
収納室２０は、閃光器本体１３の発光窓１０の面と直交する側面に沿って形成されている。
反射ミラー１１と拡散板１２とは、ヒンジ１８ａで折曲げられ、図７の状態で収納されている。
【００４８】
この状態では、拡散板保持部１２ｆが、リーフスイッチ１１０ｂを押し込んでいるためスイッチは開成した状態である。
リーフスイッチ１１０ａと１１０ｂとで構成したスイッチ１１０は、反射ミラー１１と反射板１２が収納室２０に収納された状態では開成し、引き出された状態では閉成する。
【００４９】
リーフスイッチ１１０は、反射ミラー１１と拡散板１２が収納室２０に収納されているか、引き出されているかを電気的に検出し、その出力を制御回路１２０に伝達する。
制御回路１２０により反射笠１０１を駆動する駆動モーター１３１の駆動回路１３０が制御される。
【００５０】
脚部旋回を検知して閃光器本体１３の向きを検知する脚旋回検知回路１５０は、スイッチＳ１、Ｓ２を有しており、閃光器本体１３の設定された姿勢に対応する出力を制御回路１２０に出力する。
【００５１】
カメラ３１側からは、撮影レンズ３０の絞り値や焦点距離値，フィルム感度などが、インターフェイス回路１９０を介して、制御回路１２０に入力される。
制御回路１２０は、以上の入力情報から撮影可能距離範囲を演算し、通常撮影、近接撮影照明に適した表示をする。
また、カメラ３１からの情報を表示するために、液晶パネルあるいはＬＥＤ表示板等の表示手段１４０を駆動する。
【００５２】
なお、詳細は後述する。
図１１および図１２は、反射ミラー１１と拡散板１２とを収納室２０から引き出した状態を示している。
反射ミラー１１と拡散板１２とが収納室２０から引き出される時には、取付部１２Ｃに形成される２つの突起１２ｉが、収納室２０の上面に形成される２つの摺動溝２０ａに沿って移動される。
【００５３】
この摺動溝２０ａは、先端において発光窓１０側に折曲されている。
そして、収納された位置では、発光窓１０の振り分け中心線と、反射ミラー１１と拡散板１２の振り分け中心線とが横方向にシフトした位置に位置される。
一方、引き出しが終了した位置では、発光窓１０の振り分け中心線と、反射ミラー１１と拡散板１２との振り分け中心線とがほぼ同一直線上に位置される。
【００５４】
すなわち、この実施例では、後述するように、脚部１５の軸Ｉ（図１５に図示）を回動軸として回動させたとき、発光窓１０は、上方および左右に大きく位置を変える必要から閃光器本体１３の端に位置する。
また、反射ミラー１１および拡散板１２は、発光窓１０より十分大きな面積を必要とするために、収納時の位置から使用時の位置に引き出す時に、反射ミラー１１と拡散板１２とをこのように横方向にシフトさせる必要が発生する。
【００５５】
また、引き出しが終了した位置では、取付部１２Ｃの２つのストッパー１２ｅがバネ２２の力で開き、ストッパー１２ｅは、閃光器本体１３に掘り込まれた抜け止め溝１３ｃに落ち込む。
従って、さらに引き出そうとしても、ストッパー１２ｅが溝１３ｃの先端の壁１３ｄに当たり、これ以上引き出されることはない。
【００５６】
また、２つの突起１２ｉも収納室２０の摺動溝２０ａの先端に当たり、引き出し操作の制限となる。
拡散板１２の取付部１２Ｃのバネ掛け穴１２ｈには、反射ミラー１１と拡散板１２とに引き戻し力を与えるバネ１６０の一端が連結され、このバネ１６０の他端は、収納室２０の柱に連結されている。
【００５７】
そして、このバネ１６０は、図１０の収納状態ではバネ力は発生させないが、図１１の引き出された状態では、引き戻す方向の力を発生させる。
発光窓１０は、凸レンズ特性を有するフレネルレンズからなる。
反射笠１０１は、駆動モーター１３１の駆動力で前後に移動可能であり、発光窓１０と反射笠１０１の位置関係を変えることにより周知の照射角度可変の閃光器を構成している。
【００５８】
そして、反射ミラー１１と拡散板２０が引き出されて、リーフスイッチ１１０ａと１１０ｂで構成されるスイッチ１１０が閉成されると、反射笠１０１は発光窓１０の近くに移動する。
図１３は、発光窓１０の前面に所定の角度（θ）で反射ミラー１１をセットした状態を示している。
【００５９】
ここで、バウンス撮影を行う場合の光線のバウンス角度（α）は、一般的にα＝４５゜〜９０゜〜１２０゜であることを考えると、α＝１８０゜−２θの関係から、θ＝３０゜〜４５゜〜６７．５゜となる。
図１３では、約４５゜に設定されており、発光窓１０からの光は垂直上方向に反射される。
【００６０】
図１２の状態から反射ミラー１１と拡散板２０とをヒンジ１８ｂのところで発光窓１０に近づけるように曲げて、押さえている指を開放すると、バネ１６０の付勢力で戻され、当て面１２ｇが収納室２０の斜面２０ｂと閃光器本体１３の角１３ｂに当たり、図１３のように所定の角度θに設定される。
そして、上述した閃光装置は、図１４および図１５に示すように、カメラ３１のホットシューに脚部１５がマウントされ、撮影レンズ３０の光軸と平行な回動軸Ｉを軸として閃光器本体１３が、脚部１５に対して回動自在とされている。
【００６１】
なお、この実施例では、脚部１５に固定される軸部１５ａを中心にして、閃光器本体１３が回動される。
また、この閃光装置の発光窓１０は、回動軸Ｉから離れた位置にあるので、撮影時に閃光照明できる被写体の影のできる方向を容易にコントロールすることができ、人物撮影等には非常に便利である。
【００６２】
すなわち、図１４において、閃光器本体１３の発光窓１０を水平方向に右（位置Ｌ）と左（位置Ｊ）にセットした場合、閃光器本体１３による影は左右に変更することができ、また、閃光器本体１３を垂直（位置Ｋ）にすれば、影を下方に逃がすことができる。
図１６は、上述した閃光装置を使用してカメラ３１を縦位置に構えて撮影する際のセッティングを示している。
【００６３】
この図から明らかなように、上述した閃光装置では、縦位置撮影の際にも、反射ミラー１１を使って、バウンス照明だけでなく、破線で示すように、拡散板１２を使うことにより、アイキャッチ効果を生み出す直接的照明光を加えた撮影も可能になる。
図１７は、カメラ３１を水平に構えて、閃光器本体１３を垂直にして、反射ミラー１１をセットして、サイドの垂直な壁２４等の反射を利用した間接照明（サイドバウンス）に、破線で示す拡散板１２の直接的照明を加えた例である。
【００６４】
図１８および図１９は、上述した閃光装置を使用して、撮影距離約０．２〜１メートルでの近接撮影を行う様子を示している。
この近接撮影では、図１９で示す方向に閃光器本体１３が回動され、拡散板１２は、図９で説明したＨの位置に固定された状態にセットされる。
そして、発光窓１０から発射された光束のほとんどは、反射ミラー１１で下方に反射される。
【００６５】
ここにおいて、発光窓１０が、回転軸Ｉから離れた位置にあるので、拡散板１２が撮影レンズ３１の前面を覆うような不都合は起こらない。
反射ミラー１１で反射された光は、拡散板１２を透過し、拡散，減衰し、花からなる被写体１９を照明する。
すなわち、図１４の通常撮影設定では、カメラ３１の撮影レンズ３１と閃光器本体１３の位置ズレによるパララックスから、近接した被写体１９には閃光器本体１３の光が十分に当たらず、ムラな照明になってしまう。
【００６６】
しかしながら、図１８，１９の照明設定では、近接撮影時にも均一な十分な光を被写体１９に照射できることは、図から明らかである。
ところで、上述した拡散板１２は、光量を約１／８に減衰させるように設定されている。
従って、閃光装置の通常照明でのガイドナンバーが３２ｍ（ＩＳＯ１００）である場合、図１８，１９のライティングではガイドナンバーは減少し、約１１ｍ（ＩＳＯ１００）となる。
【００６７】
すなわち、図１８，１９のライティングでは、照明が近接撮影に便利なように近距離主体となる。
なお、この実施例の閃光装置は、閃光装置で照明された被写体１９が適正露出になると、カメラ３１側からの発光停止信号を受信して、発光を停止する周知のＴＴＬ自動調光制御型閃光装置である。
【００６８】
そして、後述するように、計算パネルには近接撮影で照明可能な使用距離範囲が表示される。
ところで、近接撮影においては、照明方法の他に露出についても考慮すべき点がある。
図２０は、閃光装置の発光波形を示しており、閃光装置は、図２０で示されるように、閃光装置の全光量出力（図の１／１）から発光を途中で停止させる（図の１／２光量や１／４，１／８，１／１６など）ことで自動調光撮影（自動露出撮影）を可能としている。
【００６９】
しかし、図示しない自動調光回路は無限に光量を少光量に制御できるわけではない。
通常、発光量の制御は、１／１から１／６４の範囲程度であり（ガイドナンバーで１／８まで）、それより少光量の制御を行なおうとしても、回路系の遅れで、露出がオーバーになってしまうのは周知である。
【００７０】
閃光装置を使った撮影での適正露出は下式で表される。
ＧＮ（ガイドナンバー）＝Ｆ（撮影レンズの絞り値）×Ｄ（撮影距離）
従って、近接撮影で撮影距離が短くなれば必要なガイドナンバーも小さくなるが、閃光装置の自動調光回路は無限に光量を少なく制御することはできない。
一方、図２１は使用している絞り値（Ｆ値）で自動調光回路を使って適正露光が得られる範囲を示したグラフである。
【００７１】
開放Ｆ値（Ｆmini）では、遠距離の被写体（Ｄmax）から比較的近距離の被写体（Ｄmini）のグラフの平坦部の撮影距離の被写体に対して自動調光回路を使って適正露出が得られる。
例えば、最大ガイドナンバーＧＮ＝３２ｍの閃光装置を使用した場合には、絞り値Ｆ／４の場合、Ｄmax＝８ｍ、Ｄmini＝１ｍとなり、Ｄminiより近接した被写体に対しては露出オーバーになってしまう。
【００７２】
ところが、近接撮影では、撮影距離がＤminiより短くなる場合がほとんどである。
従って、近接撮影で適正露光を得るために、従来、撮影者は撮影絞り値を絞り込んで、中間の絞り値（Ｆmiddle）や最大絞り値（Ｆmax）側で撮影する必要があった。
【００７３】
最大絞り値（Ｆmax）側に設定を変更し忘れると露出オーバーとなってしまうのはいうまでもない。
また、カメラが周囲の明るさからシャッターと絞り値を自動的に設定するプログラム自動露出機構を使った撮影などでは、閃光装置による照明が必要なほどの周囲光の明るさでは、絞り値が当然開放値（Ｆmini）側であるので、適正露出が得られず露出オーバーの写真ができてしまう。
【００７４】
しかしながら、上述した拡散板１２では、発光強度が約１／８になっているので、Ｄmini＝０．３５ｍとなり、絞り値Ｆ／４のまま十分に適正露出が得られる。
一方、適正露出が得られる最大絞り値（Ｆmax）側で撮影することが使用者の撮影目的に合わない場合もある。
最大絞り値（Ｆmax）側で撮影すると視写界深度が広くなり、本来ボケてほしい希望しない被写体に対してもピンとが合った写真ができるためである。
【００７５】
上述した反射ミラー１１と拡散板１２とを使った近接撮影のためのライティングでは、閃光装置の光を拡散させ、発光強度を弱めて、近接被写体に向けて照射するので、開放Ｆ値で撮影しても適正露出を得ることができる。
また、プログラム撮影においても閃光照明を使用しない通常撮影と同じ絞り値で撮影が可能であることは言うまでもない。
【００７６】
このように、上述した反射ミラー１１と拡散板１２は、簡単な機構ではあるが、閃光器本体１３を脚部１５に対して回転自在にする機能と組み合わせることにより、天井２３を利用した通常のバウンス撮影や、垂直な壁２４を利用したサイドバウンス撮影、さらにカメラ３１にマウントしたままで近接撮影を可能としている。
【００７７】
以下、上述した閃光装置の制御を発光窓１０の姿勢に対応して説明する。
上述した図１４のＪ、Ｋ、Ｌで示される発光窓１０の姿勢は、図１０に示した脚旋回検知回路１５０のスイッチＳ１、Ｓ２の開閉状態によって認識され、スイッチ１１０による反射ミラー１１と拡散板１２の在否の認識と合わせて、照明状態を次表の通り識別する。
【表１】
0003651064.tif 000002
なお、スイッチ１１０が開成している場合は、反射ミラー１１と拡散板１２が収納室２０内に収納されており、閃光装置を使用した通常の直接照明による使い方になる。
この場合、カメラ３１側から入力される撮影レンズ３０の焦点距離や絞り値，フィルム感度値に基づき閃光装置は必要な情報を表示している。
【００７８】
先ず、閃光器本体１３の向きが図１４のＬ位置の場合について説明する。
脚旋回検知回路１５０により閃光器本体１３の向きが図１４のＬ位置と認識され、また反射ミラー１１と拡散板１２とが収納室２０から引き出されリーフスイッチ１１０が閉成している場合には、制御回路１２０は、リーフスイッチ１１０の情報とともに、脚旋回検知回路１５０からスイッチＳ１、Ｓ２の情報に基づいて、この場合の反射ミラー１１と拡散板１２との設定は、近接撮影照明と判断し、表示手段１４０に近接撮影の表示を行わせる。
【００７９】
なお、この時同時に、駆動回路１３０により反射笠１０１が所定位置まで移動される。
ところで、近接撮影の場合には、直接被写体を照明する場合に比べて拡散板１２が二次光源となりガイドナンバーが低下するため、従来行われていた様に近接撮影時においても撮影レンズ３０の絞り値を絞り込む必要がない。
【００８０】
従って、この場合には、閃光装置のガイドナンバーが減少するので、減少したガイドナンバーと撮影レンズ３０の絞り値から、制御回路１２０は、撮影可能距離範囲を演算し、表示手段１４０に表示する。
なお、この実施例では、図２３の近接撮影時の距離表示は、遠距離側の限界距離を１メートルとした。
【００８１】
これは、照射方向を下方に向けているため、遠距離の被写体に対して不十分な照明となるためである。
次ぎに、閃光器本体１３の向きが図１４のＫ位置（縦位置）の場合について説明する。
制御回路１２０は、閃光器本体１３の位置が縦姿勢であると脚旋回検知回路１５０が認識し、反射ミラー１１と拡散板１２が収納室２０にない場合には、サイドバウンス撮影あるいはカメラを縦位置にしたバウンス撮影と認識する。
【００８２】
この場合、反射ミラー１１によって反射された光が壁などに反射して、被写体まで到達するが、壁などの反射率、壁までの距離などが不明確であるので、撮影可能距離範囲の表示は行わない。
次ぎに、閃光器本体１３の向きが図１４のＪ位置の場合について説明する。
制御回路１２０は、閃光器本体１３の向きが図１４のＪ位置であると脚旋回検知回路１５０が認識し、反射ミラー１１と拡散板１２とが収納室２０から引き出されている場合には、上方バウンス撮影と認識する。
【００８３】
この場合にも、反射ミラー１１によって反射された光が壁などに反射して、被写体まで到達するが、壁などの反射率、壁までの距離などが不明確であるので、撮影可能距離範囲の表示は行わない。
以下、上述した閃光装置の閃光器本体１３に設けられた表示パネルの表示機能について説明する。
【００８４】
表示させるルーチン等については後述するが、ここでは各モード毎の表示について述べる。
図２２は、ＴＴＬ調光モードに設定された場合の表示であり、発光窓１０の位置は図１４で示す位置Ｌの場合を示している。
図２２において、表示部３０１には、ＴＴＬ調光モードを示すマーク３０１ａが表示され、さらに、画面内を多分割してＴＴＬ調光を行う意味を示すマーク３０１ｂが表示されている。
【００８５】
また、表示部３０２には、撮影レンズ３０の焦点距離が３５ｍｍ位置にあることが表示され、表示部３０３には、撮影レンズ３０の絞り値がＦ５.６ に設定されていることが表示されている。
以上の情報は、カメラ３１と閃光器本体１３が電気的接続接点を介して、すなわち、図１０のインターフェイス回路１９０を介してカメラ３１側から伝えられた情報である。
【００８６】
さらに、表示部３０４には、設定された絞り値５.６ から閃光器本体１３が演算した調光可能距離範囲の概略が表示されている。
この例では、約０.７〜５.７ｍが調光可能距離範囲であることがバーグラフで表示されている。
図２３は、発光窓１０の位置が図１４で示した位置Ｌの状態にある時の表示であり、図２２で示した他に、表示部３０５に、近接撮影を示すマークが表示されている。
【００８７】
これは、反射ミラー１１と拡散板１２とが引き出され、図１８に示した様なセッティングが行われていることを示している。
また、拡散板１２によって発光窓１０から放射される光は減光され、近接撮影時の調光可能距離範囲は約０.２ 〜１ｍとなり、表示部３０４にバーグラフによって表示される。
【００８８】
図２４は、発光窓１０の位置が図１４で示した位置Ｊの状態で、反射ミラー１１と拡散板１２とが引き出され、図２に示した様なセッティングがされている状態の表示を示している。
表示部３０６には、上方バウンス撮影を示すマークが表示されている。
なお、上方バウンス撮影時には、天井の反射率、距離等が不明確なため距離表示は行われない。
【００８９】
図２５は、発光窓１０の位置が図１４に示した位置Ｋの状態で、反射ミラー１１と拡散板１２とが引き出され、図１７に示した様なセッティングがされている時の表示を示している。
表示部３０７には、サイドバウンスを示すマークが表示されている。
なお、ここでズーム表示が５０ｍｍになっているが、これは発光窓１０が長方形であり、縦・横で照射角度が異なるためである。
【００９０】
また、サイドバウンス撮影時にも上方バウンス同様に、壁面の反射率，距離等が不明確なため距離表示は行われない。
図２６は、外部調光モードに設定された場合の表示である。
表示部３０８には、外部調光モードを示すマークが表示され、その他は図２２と同様である。
【００９１】
外部調光は、図１の調光センサー１４によって閃光装置の照明による反射光をとらえ、閃光器本体１３に内蔵された図示しない測光回路によって光量積分を行い、所定の露光量になった時に、閃光装置の発光を停止させるものである。
そして、調光センサー１４は、被写体からの反射光のみを捉える必要から、反射ミラー１１および拡散板１２からの直接反射を受けないように、収納室２０あるいは発光窓１０の面とは別の面に配置されている。
【００９２】
図２７は、マニュアル調光モードに設定された場合の表示である。
表示部３０９には、マニュアル調光モードを示すマークが表示され、表示部３１０には、その場合の発光量が表示されている。
図２７は、フル発光のガイドナンバーに対して１／１６光量で発光することを表している。
【００９３】
また、マニュアル調光の場合には、発光量が予め決まっているので被写体が適正光量となる地点は一点であり、この場合は、約１.４ ｍを示す位置に、バーグラフが表示されている。
図２８は、先に説明した近接撮影，上方バウンス撮影，サイドバウンス撮影の表示を行う場合の各スイッチの状態を示したフローチャートである。
【００９４】
先ず、図１０に示したリーフスイッチ１１０の状態が判別される（Ｆ１）。
そして、開成していればＦ２へ分岐する。ここでは、反射ミラー１１と拡散板１２が収納室２０に収納されているので、図２２に示した様な表示（バウンスも近接撮影もなし）になる。
一方、閉成していればスイッチＳ１の状態を判別する（Ｆ３）。
【００９５】
そして、スイッチＳ１が閉成していれば、さらにスイッチＳ２の状態を判別（Ｆ４）し、開成していれば図２５に示した様なサイドバウンス表示を行う（Ｆ５）。
一方、開成していれば、スイッチＳ２の状態を判別し（Ｆ６）、閉成していれば、図２４に示した様な上方バウンス表示を行う（Ｆ７）。
そして、開成していれば、図２３に示した様な近接撮影表示を行う（Ｆ８）。
【００９６】
このようにして、制御回路１２０は、反射ミラー１１と拡散板１２とが収納室２０に収納されているかどうかをリーフスイッチ１１０で、また閃光器本体１３の姿勢を脚旋回検知回路１５０のスイッチＳ１、Ｓ２の開閉状態で確認し、使用者に必要な情報に変換し表示手段１４０を使って表示する。
以上のように構成された閃光装置では、図１２に示したように、閃光器本体１３に形成される収納室２０から反射ミラー１１および拡散板１２を引き出す時に、反射ミラー１１および拡散板１２が、摺動溝２０ａと突起１２ｉからなるスライド機構により横スライドして案内され、発光窓１０の中央前方に位置されるため、発光窓１０が閃光器本体１３の一側に偏った位置にオフセットして形成されている場合にも、収納室２０内に収納される反射ミラー１１および拡散板１２により、発光窓１０の前方を充分に覆うことができる。
【００９７】
この結果、露光ムラのない写真を容易，確実に撮ることができる。
また、スライド機構により、反射ミラー１１および拡散板１２の一側が閃光器本体１３の一側から突出するようにして案内されるため、発光窓１０が閃光器本体１３の一側に極端に偏って形成されている場合にも、発光窓１０の前方を充分に覆うことができる。
【００９８】
さらに、スライド機構を、突起１２ｉと摺動溝２０ａにより形成したので、スライド機構を信頼性の高い簡易なものにすることができる。
そして、上述した閃光装置では、カメラ３１に脚部１５を取り付け、閃光器本体１３を所定位置に回動し、閃光器本体１３の発光窓１０の前方に反射ミラー１１を位置させることにより、反射ミラー１１だけを使用したバウンス照明が可能になる。
【００９９】
また、反射ミラー１１の先端に拡散板１２を所定の角度で位置させることにより、反射ミラー１１と拡散板１２を使用した一部直接照明を加えたバウンス照明あるいは近接照明が可能になる。
従って、バウンス撮影および近接撮影を容易，確実に行うことができる。
また、回動部が閃光器本体１３の脚部１５への連結部だけになるため、閃光装置が安価なものになる。
【０１００】
そして、上述した閃光装置では、反射ミラー１１および拡散板１２が、発光窓１０と直交した閃光器本体１３の側面に形成される収納室２０内に収納可能とされるため、反射ミラー１１および拡散板１２の取り出し、および収納が非常に容易になる。
【０１０１】
また、反射ミラー１１と拡散板１２が収納される収納室２０は、閃光器本体１３とは壁を隔てて隔離されているので、ゴミや雨滴が容易に侵入することがなく故障の危険が少ないものになる。
さらに、上述した閃光装置では、図２９に示した従来の閃光装置のように、発光部ケース３を台座２に対して回動させる機構を設ける必要がなくなるため、発光部ケース３と台座２との隙間からゴミや雨滴が侵入し故障するようなことがなくなる。
【０１０２】
また、上述した閃光装置では、一体成形で作られた簡単な反射ミラー１１と拡散板１２により、バウンス照明およびバウンス撮影の際の補助的な直接照明を実現できるので、閃光装置を非常に安価なものにすることができる。
なお、上述した実施例では、拡散板１２に形成される反射ミラー張り付け部１２Ｂに反射ミラー１１を貼着した例について説明したが、本発明はかかる実施例に限定されるものではなく、例えば、反射ミラーの剛性を高くし、反射ミラーの先端に拡散板を連結するようにしても良い。
【０１０３】
また、上述した実施例では、パネル板を拡散板１２および反射ミラー１１とした例について説明したが、本発明はかかる実施例に限定されるものではなく、パネル板は、例えば、偏向フィルタ等であっても良い。
【０１０４】
【発明の効果】
以上述べたように、請求項１の閃光装置では、閃光器本体に形成される収納室からパネル板を引き出す時に、パネル板が、スライド機構により横スライドして案内され、発光部の中央前方に位置されるため、発光窓が閃光器本体の一側に偏った位置にオフセットして形成されている場合にも、収納室内に収納されるパネル板により、発光窓の前方を充分に覆うことができる。そして、反射ミラーにより発光窓が充分に覆われるため、露光ムラのない写真を撮ることができる。
【０１０５】
請求項２の閃光装置では、スライド機構により、パネル板の一側が閃光器本体の一側から突出するようにして案内されるため、発光窓が閃光器本体の一側に極端に偏って形成されている場合にも、発光窓の前方を充分に覆うことができる。
請求項３の閃光装置では、収納室に沿って形成される案内溝に、パネル板に形成されされる突起が嵌挿され、突起が案内溝に沿って案内されるため、スライド機構を信頼性の高い簡易なものにすることができる。
【図面の簡単な説明】
【図１】本発明の閃光装置の一実施例を示す斜視図である。
【図２】図１の閃光装置のバウンス撮影状態を示す側面図である。
【図３】図１の閃光装置の反射ミラーと拡散板を折り畳んだ状態で引き出した状態を示す側面図である。
【図４】図３の状態から拡散板を開く状態を示す側面図である。
【図５】図１の状態の反射ミラーと拡散板の光路を示す側面図である。
【図６】図１の閃光装置の反射ミラーと拡散板を示す展開斜視図である。
【図７】図６の反射ミラーと拡散板を収納室に収納する状態を示す側面図である。
【図８】図６の板バネを装着する状態を示す断面図である。
【図９】図６の拡散部を固定する状態を示す断面図である。
【図１０】図６の反射ミラーと拡散板を収納室に収納した状態を示す断面図である。
【図１１】図１０の反射ミラーと拡散板を収納室から引き出した状態を示す断面図である。
【図１２】図１１の上面図である。
【図１３】図１１の反射ミラーを所定の角度で固定した状態を示す断面図である。
【図１４】図１の閃光装置の脚部回転機能を示す正面図である。
【図１５】図１４の閃光装置を示す側面図である。
【図１６】図１の閃光装置による縦位置バウンス撮影を示す正面図である。
【図１７】図１の閃光装置によるサイドバウンス撮影を示す正面図である。
【図１８】図１の閃光装置による近接撮影を示す側面図である。
【図１９】図１８の正面図である。
【図２０】図１の閃光装置の発光波形を示す説明図である。
【図２１】図１の閃光装置の調光距離特性を示す説明図である。
【図２２】図１の閃光装置のＴＴＬ調光モードにおける表示を示す説明図である。
【図２３】図１の閃光装置の近接撮影における表示を示す説明図である。
【図２４】図１の閃光装置の上方バウンス撮影における表示を示す説明図である。
【図２５】図１の閃光装置のサイドバウンス撮影における表示を示す説明図である。
【図２６】図１の閃光装置の外部調光モードにおける表示を示す説明図である。
【図２７】図１の閃光装置のマニュアル調光モードにおける表示を示す説明図である。
【図２８】図１の閃光装置の表示状態を決めるための流れ図である。
【図２９】従来の閃光装置を示す斜視図である。
【図３０】図１の閃光装置で天井バウンス撮影をしている状態を示す側面図である。
【図３１】図３０の撮影時に撮影画面に発生する照明ムラを示す正面図である。
【図３２】図３０の上面図である。
【符号の説明】
１０  発光窓
１１  反射ミラー
１２  拡散板
１３  閃光器本体
１４  調光センサー
１５  脚部
１９  被写体（人物、花）
２０  収納室
２１  板バネ
２３  天井
２４  壁
３０  撮影レンズ
３１  カメラ
【図１】
0003651064.tif 000003
【図２】
0003651064.tif 000004
【図３】
0003651064.tif 000005
【図４】
0003651064.tif 000006
【図５】
0003651064.tif 000007
【図６】
0003651064.tif 000008
【図７】
0003651064.tif 000009
【図８】
0003651064.tif 000010
【図９】
0003651064.tif 000011
【図１０】
0003651064.tif 000012
【図１１】
0003651064.tif 000013
【図１２】
0003651064.tif 000014
【図１３】
0003651064.tif 000015
【図１４】
0003651064.tif 000016
【図１５】
0003651064.tif 000017
【図１６】
0003651064.tif 000018
【図１７】
0003651064.tif 000019
【図１８】
0003651064.tif 000020
【図１９】
0003651064.tif 000021
【図２０】
0003651064.tif 000022
【図２１】
0003651064.tif 000023
【図２２】
0003651064.tif 000024
【図２３】
0003651064.tif 000025
【図２４】
0003651064.tif 000026
【図２５】
0003651064.tif 000027
【図２６】
0003651064.tif 000028
【図２７】
0003651064.tif 000029
【図２８】
0003651064.tif 000030
【図２９】
0003651064.tif 000031
【図３０】
0003651064.tif 000032
【図３１】
0003651064.tif 000033
【図３２】
0003651064.tif 000034